(57)【要約】【課題】現在用いられているタブブラウザにおいては、タブにはウェブページのタイトル名が表示されるに過ぎず、タブ化されて背面に隠された状態となっているウェブページについては、どのようなページであるのか、あるいは、現在どのようなページが表示されているのかをユーザが瞬時に把握することができなかった。【解決手段】表示サイズがウィンドウ中で比較的小さいサイズとなるサブページ情報となるようにウェブページ情報を加工するサブページ情報加工部と、表示サイズがウィンドウ中で比較的大きいサイズとなるメインページ情報となるようにウェブページ情報を加工するメインページ情報加工部と、ウェブページ情報を加工部に分配する分配部と、サブページと、メインページとを同一のウィンドウ内に表示する表示部と、を有するウェブ閲覧装置を提供する。【選択図】図１
2008097385.tif 000002
【特許請求の範囲】
【請求項１】
ウェブページの表示サイズが、ウィンドウ中で比較的小さいサイズとなるサブページ情報となるようにウェブページ情報を加工するサブページ情報加工部と、
ウェブページの表示サイズが、ウィンドウ中で比較的大きいサイズとなるメインページ情報となるようにウェブページ情報を加工するメインページ情報加工部と、
ウェブページ情報を取得してサブページ情報加工部又は／及び、メインページ情報加工部に分配する分配部と、
加工されたサブページ情報にて構成されるサブページと、加工されたメインページ情報にて構成されるメインページとを同一のウィンドウ内に表示する表示部と、
を有するウェブ閲覧装置。
【請求項２】
分配部は、
メインページ情報加工部に分配したウェブページ情報をサブページ情報加工部に再分配するサブページ再分配手段を有する請求項１に記載のウェブ閲覧装置。
【請求項３】
分配部は、
サブページ再分配手段による再分配が行なわれた際に、新たなウェブページ情報を取得してメインページ情報加工部に分配する新規ウェブページ情報分配手段を有する請求項２に記載のウェブ閲覧装置。
【請求項４】
分配部は、
サブページ情報加工部に分配したウェブページ情報をメインページ情報加工部に再分配するメインページ再分配手段を有する請求項１から３のいずれか一に記載のウェブ閲覧装置。
【請求項５】
サブページ情報加工部は、複数のウェブページ情報をそれぞれ加工する複数ページ加工手段を有し、
表示部は、サブページを複数表示する複数表示手段を有する請求項１から４のいずれか一に記載のウェブ閲覧装置。
【請求項６】
ウェブページ情報にストリーミング配信又は／及び、自動更新に関する情報が含まれる場合には、サブページ情報加工部及びメインページ情報加工部は、これらの情報により実現されるストリーミング配信又は／及び自動更新の機能を損なわないように前記各加工を行なうアクティブ加工手段を有する請求項１から５のいずれか一に記載のウェブ閲覧装置。
【請求項７】
メインページ情報加工部は、
ウェブページ情報から所定のタグ情報を取得するタグ情報取得手段と、
取得したタグ情報に基づいて、表示部にて表示されるべきウェブページの所定のグラフィック領域近傍にグラフィック識別番号をそれぞれ表示させる加工をするメインナンバリング加工手段と、
を有し、
サブページ情報加工部は、
表示部にて表示されるべきサブページにつきサブページを識別するページ識別番号を表示させる加工をするサブナンバリング加工手段を有する
請求項１から６のいずれか一に記載のウェブ閲覧装置。
【請求項８】
ユーザからのサブページ識別番号の入力を受付けるサブページ識別番号受付部を有し、
メインページ再分配手段は、サブページ識別番号受付部にて受付けられたサブページ識別番号によって識別されるサブページを構成するために加工されたウェブページ情報を、メインページ情報加工部に再分配する受付後メインページ再分配器を有する請求項７に記載のウェブ閲覧装置であって請求項４に従属するウェブ閲覧装置。
【請求項９】
ウェブページの表示サイズが、ウィンドウ中で比較的小さいサイズとなるサブページ情報となるようにウェブページ情報を加工するサブページ情報加工ステップと、
ウェブページの表示サイズが、ウィンドウ中で比較的大きいサイズとなるメインページ情報となるようにウェブページ情報を加工するメインページ情報加工ステップと、
ウェブページ情報を取得してサブページ情報加工ステップ又は／及び、メインページ情報加工ステップに分配する分配ステップと、
加工されたサブページ情報にて構成されるサブページと、加工されたメインページ情報にて構成されるメインページとを同一のウィンドウ内に表示する表示ステップと、
を有するウェブ閲覧方法。
【発明の詳細な説明】
【技術分野】
【０００１】
本発明は、ウェブを閲覧するウェブ閲覧装置に関する。
【背景技術】
【０００２】
近年、タブブラウザと呼ばれるブラウザが広く普及している。タブブラウザは、例えば特許文献１に示すように、ウェブページをタブによって切替えることが可能なブラウザのことである。タブブラウザを用いることで、ウェブページを閲覧する際に新たなウィンドウ画面を立ち上ずに済むため、リソースを削減したり、セキュリティを高めたりすることができる。図２２は、タブブラウザの画面一例を示す図である。図２２に示すように、タブブラウザは太線で示すタブ部分にウェブページのタイトル名などを表示し、ユーザは、このタブ部分をマウスクリック等することで、ウィンドウ前面に表示させるウェブページを選択している。
【特許文献１】特開２００２−４１２９６号公報
【発明の開示】
【発明が解決しようとする課題】
【０００３】
しかしながら、現在用いられているタブブラウザにおいては、タブにはウェブページのタイトル名が表示されるに過ぎず、タブ化されて背面に隠された状態となっているウェブページについては、どのようなページであるのか、あるいは、現在どのようなページが表示されているのかをユーザが瞬時に把握することができなかった。仮にユーザがタブ化されて背面に隠された状態となっているウェブページの内容を確認しようとする場合には、その都度タブ部分をマウスなどでクリックしなければならず、利便性に欠けているという課題がある。
【０００４】
そこで、本発明は、かかる課題に鑑みてなされたものであり、メインページとして表示する部分以外のページについても同一ウィンドウ内に小さいサイズのウェブページとして表示することにより、各ページの状態をユーザに対して視認可能とさせたウェブ閲覧装置を提供することを目的とする。
【課題を解決するための手段】
【０００５】
そこで、本発明においては、かかる課題を解決するために、ウェブページの表示サイズが、ウィンドウ中で比較的小さいサイズとなるサブページ情報となるようにウェブページ情報を加工するサブページ情報加工部と、ウェブページの表示サイズが、ウィンドウ中で比較的大きいサイズとなるメインページ情報となるようにウェブページ情報を加工するメインページ情報加工部と、ウェブページ情報を取得してサブページ情報加工部又は／及び、メインページ情報加工部に分配する分配部と、加工されたサブページ情報にて構成されるサブページと、加工されたメインページ情報にて構成されるメインページとを同一のウィンドウ内に表示する表示部と、を有するウェブ閲覧装置を提供する。かかる構成により、ウェブページをメインとして表示するメインページと、サブとして表示するサブページとを、を同一のウィンドウ画面内に表示することができる。
【０００６】
また、分配部は、メインページ情報加工部に分配したウェブページ情報をサブページ情報加工部に再分配するサブページ再分配手段を有してもよい。また、分配部は、サブページ再分配手段による再分配が行なわれた際に、新たなウェブページ情報を取得してメインページ情報加工部に分配する新規ウェブページ情報分配手段を有してもよい。また、分配部は、サブページ情報加工部に分配したウェブページ情報をメインページ情報加工部に再分配するメインページ再分配手段を有してもよい。このような構成を有することにより、注視する必要のないページについては小さいサイズのサブページとして表示させることができる。逆に、注視を要するウェブページや、ウェブサーフィンなどの作業を行うページについてはメインページとして表示させることができる。また、メインページとサブページとを入替えて表示させることができる。
【０００７】
また、サブページ情報加工部は、複数のウェブページ情報をそれぞれ加工する複数ページ加工手段を有し、表示部は、サブページを複数表示する複数表示手段を有してもよい。かかる構成により、適宜確認をしておきたいウェブページをサブページとして複数表示させておくことが可能となる。
【０００８】
また、ウェブページ情報にストリーミング配信又は／及び、自動更新に関する情報が含まれる場合には、サブページ情報加工部及びメインページ情報加工部は、これらの情報により実現されるストリーミング配信又は／及び自動更新の機能を損なわないように前記各加工を行なうアクティブ加工手段を有してもよい。サブページとして加工された場合においてもストリーミング配信などの提供を受けることにより、リアルタイム性を損なうことなくウェブページを閲覧することができる。
【０００９】
また、メインページ情報加工部は、ウェブページ情報から所定のタグ情報を取得するタグ情報取得手段と、取得したタグ情報に基づいて、表示部にて表示されるべきウェブページの所定のグラフィック領域近傍にグラフィック識別番号をそれぞれ表示させる加工をするメインナンバリング加工手段と、を有し、サブページ情報加工部は、表示部にて表示されるべきサブページにつきサブページを識別するページ識別番号を表示させる加工をするサブナンバリング加工手段を有してもよい。かかる構成により、リンク先などにナンバリングがされるため、リモコンなどを用いてウェブページの操作を簡易に行うことができる。
【００１０】
また、ユーザからのサブページ識別番号の入力を受付けるサブページ識別番号受付部を有し、メインページ再分配手段は、サブページ識別番号受付部にて受付けられたサブページ識別番号によって識別されるサブページを構成するために加工されたウェブページ情報を、メインページ情報加工部に再分配する受付後メインページ再分配器を有してもよい。かかる構成により、例えばユーザからのリモコン入力に応じて、メインページとサブページとを置き換えて表示することが可能となる。
【発明の効果】
【００１１】
本発明においては、同一ウィンドウ画面内にメインページと併せてサブページを表示させることにより、各ページの状態をタブクリック等をすることなく確認することができるため、ユーザの利便性を向上させることが可能となる。また、同一ウィンドウ内に表示することにより複数ページを表示する際にリソースを削減することができる。
【発明を実施するための最良の形態】
【００１２】
以下に、各発明の実施の形態を説明する。なお、本発明はこれら実施の形態に何ら限定されるものではなく、その要旨を逸脱しない範囲において、種々なる態様で実施し得る。
【００１３】
なお、以下の実施形態と請求項の関係は次の通りである。
実施形態１は、主に請求項１、９について説明する。
実施形態２は、主に請求項２について説明する。
実施形態３は、主に請求項３などについて説明する。
実施形態４は、主に請求項４などについて説明する。
実施形態５は、主に請求項５などについて説明する。
実施形態６は、主に請求項６などについて説明する。
実施形態７は、主に請求項７などについて説明する。
実施形態８は、主に請求項８などについて説明する。
【００１４】
<全体の概要>
図１は、本発明にかかるウェブ閲覧装置の表示画面の一例を示す図である。図１に示すように、通常のメインページとして表示されるページと、メインページよりも比較的小さいサイズのページとして表示されるサブページとが同一のウィンドウ内において表示されている。以下、本発明にかかるウェブ閲覧装置について、複数の実施形態にまたがって説明を行う。
【００１５】
<<実施形態１>>
<実施形態１の概要>
実施形態１では、本ウェブ閲覧装置の全体的な概要について説明を行う。詳細な部分については、他の実施形態において説明を行うものとする。図２は、実施形態１における概念を説明するための図である。本実施形態においては、同一のウィンドウ２０内に、メインページとサブページとを表示させている。図２（ａ）では、一のサブページを表示している例を示している。一方、図２（ｂ）においては、複数のサブページを表示している例を示している。そして、図２に示されるようなサブページは、従来のタブブラウザのようにウェブページのタイトル文のみをタブ上に表示させたものではなく、表示されるべきウェブページを縮小させたページを表示している点が特徴である。
【００１６】
<実施形態１の構成>
図３は、実施形態１における機能ブロックの一例を示す図である。図３に示すように、本実施形態における「ウェブ閲覧装置」３００は、「サブページ情報加工部」３０１と、「メインページ情報加工部」３０２と、「分配部」３０３と、「表示部」３０４と、を有する。
【００１７】
本件発明の構成要素である各部は、ハードウェア、ソフトウエア、ハードウェアとソフトウエアの両者、のいずれかによって構成される。例えば、これらを実現する一例として、コンピュータを利用する場合には、ＣＰＵ、メモリ、バス、インタフェース、周辺装置などから構成されるハードウェアと、これらのハードウェア上にて実行可能なソフトウエアを挙げることができる。具体的には、メモリ上に展開されたプログラムを順次実行することで、メモリ上のデータや、インタフェースを介して入力されるデータの加工、蓄積、出力などにより各部の機能が実現される（本明細書の全体を通じて同様である）。
【００１８】
「ウェブ閲覧装置」３００は、各種ネットワークに接続して、ウェブページを閲覧する機能を有するものである。具体的としては、コンピュータ装置が挙げられる。ウェブ閲覧装置は、ウェブを閲覧することが可能な装置であれば、その処理速度、表示可能画素、搭載しているＯＳ（Ｏｐｅｒａｔｉｎｇ  Ｓｙｓｔｅｍ）などの種別は問わない。また、ウェブ閲覧装置は、例えばリモコン装置や携帯電話機などから送られる信号を受信する受光器と接続して、その受信した信号に応じてキーボードやマウス機能を実現する構成をとっていても良い。
【００１９】
「サブページ情報加工部」３０１は、ウェブページの表示サイズが、ウィンドウ中で比較的小さいサイズとなるサブページ情報となるようにウェブページ情報を加工する。「ウィンドウ中で比較的小さいサイズ」とは、後述するメインページと比較して小さいサイズとなることを意味している。「ウェブページ情報」とは、ＨＴＭＬ（HyperText Markup Language）形式やＸＭＬ（Extensible Markup Language）形式などのマークアップランゲージ形式で記載されているウェブページに関する情報のことである。具体的には、ＨＴＭＬファイル、ＸＭＬファイルの他、画像ファイルや動画ファイルなどの各種ファイルや、あるいは、これらのファイルにより表示されるべき表示画面についての情報がウェブページ情報に該当する。「ウェブページ情報を加工」とは、例えばウェブページ情報により表示されるべき表示画面について、その表示態様を変更させるように処理を施すことである。また、後の実施形態で説明するように、ウェブページを表示する場合にナンバリングを付して表示することも可能であるが、かかるナンバリングを付加する処理も「ウェブページ情報の加工」に含まれ得るものである。サブページ情報は、このような加工がなされた情報のことである。サブページ情報加工部は、主にＣＰＵやメモリから構成されるものであり、具体的には前述した各処理を実行するプログラムモジュールが該当する。
【００２０】
「メインページ情報加工部」３０２は、ウェブページの表示サイズが、ウィンドウ中で比較的大きいサイズとなるメインページ情報となるようにウェブページ情報を加工する。「ウィンドウ中で比較的大きいサイズ」とは、前述したサブページと比較して大きいサイズとなることを意味している。メインページ情報にて表示されるべきメインページのサイズは、好ましくは、ウィンドウ中での表示領域占有割合が６０％以上であり、さらに好ましくは、ウィンドウ中での表示領域占有割合が８０％以上であるとよい。メインページとして表示されるウェブページは、ユーザからの操作入力などを受け付けるアクティブなページとなる。よって、ウィンドウ中でのサイズは、通常のブラウジングを行う際に支障が出ない程度に大きな表示サイズとなることが望まれる。なお、後の実施形態で説明するナンバリングを付して表示をする場合には、メインページ情報はナンバリング加工がされた情報となる。メインページ情報加工部は、主にＣＰＵやメモリから構成されるものであり、具体的には前述した各処理を実行するプログラムモジュールが該当する。
【００２１】
「分配部」３０３は、ウェブページ情報を取得してサブページ情報加工部又は／及び、メインページ情報加工部に分配する。ウェブページ情報の取得は、ウェブページ情報を配信するサーバ装置から取得してもよいし、あるいは、サーバ装置から取得したウェブページ情報をウェブ閲覧装置のメモリに保持しておき、その装置内のメモリに保持しているウェブページ情報を取得するとしてもよい。そして取得したウェブページ情報をサブページ情報加工部か、メインページ情報加工部のいずれか、あるいは、いずれにも分配する。ウェブページ情報をどちらの加工部に分配するかについては、所定のルールに従って行うことができる。所定のルールは、例えば本機能を有するウェブ閲覧装置のブラウザソフトを起動した場合に、最初に取得するウェブページ情報はメインページ情報加工部に分配すると、いったルールである。あるいは、その後「新しいウィンドウで表示する」といったように、新たなウィンドウを表示する処理を行った場合には、現在メインページとして表示しているウェブページを構成するウェブページ情報をサブページ情報加工部に再分配する、としてもよい。あるいは、ユーザからの操作入力に応じてメインページとして分配したウェブページ情報をサブページ加工部に再分配してもよいし、サブページとして分配したウェブページ情報をメインページ加工部に再分配してもよい。これらの分配部の例については、後の実施形態にて説明を行う。分配部は、主にＣＰＵやメモリから構成されるものであり、具体的には前述した各処理を実行するプログラムモジュールが該当する。
【００２２】
「表示部」３０４は、加工されたサブページ情報にて構成されるサブページと、加工されたメインページ情報にて構成されるメインページとを同一のウィンドウ内に表示する。表示部は、例えば液晶ディスプレイ、プラズマディスプレイ、有機ＥＬディスプレイなど、各種のディスプレイや、あるいは、ディスプレイに対して表示命令を生成する表示命令生成部、当該表示命令生成部からの情報をディスプレイに伝送するためのドライバ部などが該当する。「同一のウィンドウ内に表示」とは、いわゆるＭＤＩ（Multiple Document Interface）のように、アプリケーションのウィンドウ内に複数のウィンドウを表示させることを意味するものである。なお、一般的なタブブラウザと異なり、タブの部分には、サブページとして縮小したページが表示される点が特徴である。同一ウィンドウ内に各ページを表示することで、複数ウィンドウを開いて表示する場合と比較してリソースを削減することができる。また、いわゆるブラウザクラッシャーと呼ばれる複数のウィンドウが連続的に開いてしまう事象を防止することができ、セキュリティを向上させることができる。
【００２３】
なお、表示部が表示するウィンドウ画面内を、メインページを表示させる領域であるメインページ表示領域と、サブページを表示させる領域であるサブページ表示領域とに区切ってもよい。図４は、ウィンドウ４００内をメインページ表示領域４０１と、サブページ表示領域４０２とに区切った例を示している。太線で示すサブページ４０３はサブページ表示領域４０２に表示されている。メインページについては、メインページ表示領域の全体に表示する。一方で、サブページについては、例えばサブページ表示領域の全体に一のサブページを表示してもよいし、あるいは、図４の例のように、サブページ表示領域をさらに細分化した複数の細分化サブページ表示領域を設け、サブページ表示領域中の一部分だけにサブページを表示をすることも可能である。これらの表示領域の情報については、表示領域を識別する表示領域識別情報と、表示領域識別情報にて識別される表示領域に表示させるウェブページ情報とを関連付けた表示領域テーブルをウェブ閲覧装置にて保持することができる。そして、分配部、加工部、表示部等の各部は、当該テーブルを参照して、どの表示領域に各ページを表示させるかを制御・調整することができる。
【００２４】
<実施形態１の処理の流れ>
図５は、実施形態１での処理の流れの一例を示したものである。本実施形態における処理は、以下に示すステップよりなる。なお、以下に示す処理の流れは、計算機に実行させるためのプログラム、またはそのプログラムが記録された読み取り可能な記録媒体、あるいはウェブ閲覧方法として実施され得る（以下、本明細書における処理の流れの記載についても同様である）。
【００２５】
まず、ウェブ閲覧装置はウェブページ情報を取得する（Ｓ５０１）。Ｓ５０１においては、図外のサーバ装置からウェブページ情報を取得してもよいし、あるいは、ウェブ閲覧装置内のメモリなどに保持されているウェブページ情報を取得してもよい。そして、取得したウェブページ情報をメインページ情報加工部か、サブページ情報加工部に分配する（Ｓ５０２）。ウェブページの分配にあたっては、所定のルールに従ってウェブページ情報を分配することが可能である。そして、メインページ情報加工部に分配されたウェブページ情報は、メインページ情報となるように加工がなされる（Ｓ５０３）。一方、サブページ情報加工部に分配されたウェブページ情報は、サブページ情報となるようにウェブページ情報を加工する（Ｓ５０４）。そして、サブページとメインページとを同一のウィンドウ内に表示する（Ｓ５０５）。以上の処理を、ウェブ閲覧を終了するまで行うことが可能である。なお、Ｓ５０５で表示するウェブページについては、新たに加工されたページだけではなく、メモリなどに既にメインページやサブページとして保持されているページについても表示することが可能であることはもちろんである。
【００２６】
<実施形態１の具体的構成態様>
図６は、実施形態１における具体的構成態様の一例を示す図である。図６に示すように、本実施形態におけるウェブ閲覧装置は、分配部、サブページ情報加工部、メインページ情報加工部としてのＣＰＵ６０１、メモリ６０２や、表示部としてのディスプレイ６０３や、ネットワークインタフェース６０４や、ユーザ入力インタフェース６０５などから構成される。以下、ハードウェア資源を用いた各動作についての一例を説明をする。ＣＰＵは、メモリに記録されているプログラムに従って、各種の制御を行う。まず、ＣＰＵは、図外のサーバ装置に対してウェブページ情報の取得要求を行い、ネットワークインタフェースを介してサーバ装置から取得したウェブページ情報をメモリに格納する。そして、ＣＰＵは、メモリに格納されたプログラムに従って、格納したウェブページ情報をメインページ情報として加工するか、サブページ情報として加工するかを判断する。そして、プログラムにより起動されているメインページ加工プロセス又はサブページ加工プロセスに当該ウェブページ情報を処理させる命令を出力させる。そして、加工されたページを一のウィンドウ中にて表示させる処理を行う。
【００２７】
なお、以下で示す各実施形態においても同様に、主にメモリに格納されたプログラムに従って、ＣＰＵが各種の制御を行うものである。
【００２８】
<実施形態１の効果>
実施形態１におけるウェブ閲覧装置は、取得したウェブページ情報をメインページ情報加工部と、サブページ加工部に適宜分配する。そして、同一ウィンドウ画面内にメインページと併せてサブページを表示させることにより、サブページがどのようなページであるか、あるいは当該サブページが現在どのようなページを表示しているかをタブクリック等をすることなくユーザが視覚的に把握することができるため、ユーザビリティを向上させることができる。また、同一ウィンドウ内に表示することにより、複数のウィンドウを並べて表示する場合と比較してリソースを削減することができる。
【００２９】
<<実施形態２>>
<実施形態２の概要>
実施形態２は、メインページとして表示しているページをサブページとして再表示させることを特徴とするものである。
【００３０】
<実施形態２の構成>
図７は、実施形態２における機能ブロックの一例を示す図である。図７に示すように、本実施形態における「ウェブ閲覧装置」７００は、「サブページ情報加工部」７０１と、「メインページ情報加工部」７０２と、「分配部」７０３と、「表示部」７０４と、を有する。分配部７０３は、「サブページ再分配手段」７０５を有する。サブページ再分配手段７０５を除く各構成については実施形態１で説明したものと同様であるため、ここでの説明は省略する。
【００３１】
「サブページ再分配手段」７０５は、分配部が有しているものであり、メインページ情報加工部に分配したウェブページ情報をサブページ情報加工部に再分配する。例を挙げて説明すると、例えば表示部においては、先にメインページ情報加工部に分配したウェブページ情報にて構成されるメインページが表示されているものとする。ここで、本実施形態においては、当該メインページをサブページとして再表示させる処理を行うことを特徴とするものである。図８は、本実施形態の表示部にて表示されてるウィンドウの一例を示す。図８（ａ）では、ウェブページＡについてのウェブページ情報をメインページ加工部に分配してメインページ表示領域８０１にウェブページＡを表示している。ここで、本実施形態のサブページ再分配手段によりウェブページ情報の再分配が行われる場合には、図８（ｂ）で示すように、メインページ表示領域８０１に表示されていたウェブページＡを、サブページ表示領域８０２に再表示する。一方で、元のメインページ表示領域には新たに取得したウェブページ情報に基づいて、例えばウェブページＡを更新表示したウェブページＡ'をメインページ表示領域８０１に表示する。
【００３２】
<実施形態２の処理の流れ>
図９は、実施形態２における処理の流れの一例を示す図である。再分配の方法としては、一例として、３通りの方法が想定される。図９（ａ）に示す第１の例としては、まず分配部を構成する分配モジュールにてウェブページ情報Ａ（以下、本項では単にページＡ等と略す）をメインページ情報加工部を構成するメインページ加工モジュールに渡す（Ｓ９０１）。メインページ加工モジュールでは、ページＡを加工して表示モジュールに渡して表示処理を行う。そして、メインページ加工モジュールにて加工された加工後のページＡ１を分配部に渡す（Ｓ９０２）。そして、加工後のページＡ１を受けた分配モジュールでは、加工後のページＡ１をサブページ情報加工部を構成するサブページ加工モジュールに渡す（Ｓ９０３）。サブページ加工モジュールでは、渡されたページＡ１をサブページ加工して表示モジュールに当該ページＡ１を渡す。
【００３３】
第２の例としては、図９（ｂ）に示す例が挙げられる。図９（ｂ）中のＳ９１１は、図９（ａ）のＳ９０１と同じである。ページＡを再分配する場合に、第２の方法においては、分配モジュールは、取得したウェブページ情報をメモリなどの所定の領域に格納し、当該ウェブページ情報を分配した分配先を関連付けて保持しておく。そして、再分配をする場合には、分配モジュールは、メモリに格納している加工されていないページＡを、そのままサブページモジュールに渡す（Ｓ９１２）。
【００３４】
第３の例としては、図９（ｃ）に示す例が挙げられる。図９（ｃ）中のＳ９２１は、図９（ａ）、（ｂ）のＳ９０１、Ｓ９１１と同じである。ページＡを再分配する場合に、第３の方法においては、分配したページＡの更新ページを図外のサーバに対して要求する（Ｓ９２２）。そして、分配モジュールは、更新ページＡ２を取得する（Ｓ９２３）。そして、分配モジュールは、当該更新ページＡ２をサブページ加工モジュールに渡す（Ｓ９２４）。このように、第３の方法では、メインページをサブページ表示領域に移動させる場合に、ウェブページ情報を最新の情報に更新した状態で渡すことができる。
【００３５】
<実施形態２の効果>
実施形態２におけるウェブ閲覧装置は、メインページ加工部に分配したウェブページ情報をサブページ情報加工部に再分配するサブページ再分配手段を有することにより、メインページとして表示しているウェブページをサブページとして再表示することが可能となる。このため、ユーザとしては、他のページの閲覧を所望する際にメインページとして表示しているページを保持しておきたい場合には、同一ウィンドウ内に縮小したページをサブページとして継続して表示させることが可能となる。
【００３６】
<<実施形態３>>
<実施形態３の概要>
実施形態３は、実施形態２で説明したメインページをサブページとして再表示させる際に、新たなウェブページを取得してメインページとして表示させることを特徴とするものである。
【００３７】
<実施形態３の構成>
図１０は、実施形態３における機能ブロックの一例を示す図である。図１０に示すように、本実施形態における「ウェブ閲覧装置」１０００は、「サブページ情報加工部」１００１と、「メインページ情報加工部」１００２と、「分配部」１００３と、「表示部」１００４と、を有する。分配部１００３は、「サブページ再分配手段」１００５と、「新規ウェブページ情報分配手段」１００６と、を有する。新規ウェブページ情報分配手段１００６を除く各構成については、実施形態２で説明したものと同様であるため、ここでの説明は省略する。
【００３８】
「新規ウェブページ情報分配手段」１００６は、分配部が有しているものであり、サブページ再分配手段による再分配が行なわれた際に、新たなウェブページ情報を取得してメインページ情報加工部に分配する。「新たなウェブページ情報」の一例としては、ブラウザを起動した場合に最初に表示される、いわゆるホームページについてのウェブページ情報が挙げられる。
【００３９】
実施形態３の例としては、図８にて既に説明したような方法を挙げることができる。また、図１１は、実施形態３の状態遷移等の様子を示す図である。図１１（ａ）では、各モジュール間の情報のやり取りを示しており、図１１（ｂ）では、各ステップにおいて、表示部にて表示されるメインページとサブページの移り変わりを示している。まず、Ｓ１１０１にて最初にブラウザ機能を用いてウェブページ情報を取得し、このウェブページ情報（ページＡ）をメインページ情報加工部を介してメインページとしてメインページ表示領域に表示をする。その後、Ｓ１１０２にて、当該メインページから他のウェブページへリンクジャンプするなどして、別のウェブページ情報（ページＢ）がメインページ情報加工モジュールに分配されてページＢがメインページ表示領域に表示される。ここで、実施形態２で説明したサブページ再分配モジュールにより、メインページ表示領域にて表示されているウェブページ（ページＢ）を、サブページ表示領域に表示させるために、ページＢをサブページ情報加工モジュールへと再分配をする（Ｓ１１０３）。その際、本実施形態の新規ウェブページ情報分配モジュールにて、新たなウェブページ情報（ページＡ）を取得して当該ウェブページ情報（ページＡ）をメインページ表示領域に表示させるために、メインページ情報加工モジュールへと分配する（Ｓ１１０４）。以上の処理を行うことで、図１１（ｃ）に示すようなウィンドウ画面が表示されることになる。
【００４０】
<実施形態３の効果>
実施形態３におけるウェブ閲覧装置は、サブページ再分配手段による再分配が行われた際に、新たなウェブページ情報を取得してメインページ情報加工部に分配する。これにより、メインページとして表示しているページをサブページとして再表示する際に、新たにウェブページ情報を取得してメインページとして表示することが可能となるため、ユーザの利便性が向上する。
【００４１】
<<実施形態４>>
<実施形態４の概要>
実施形態４は、サブページとして表示しているウェブページを、メインページとして再度表示することを特徴とするものである。
【００４２】
<実施形態４の構成>
図１２は、実施形態４における機能ブロックの一例を示す図である。図１２に示すように、本実施形態における「ウェブ閲覧装置」１２００は、「サブページ情報加工部」１２０１と、「メインページ情報加工部」１２０２と、「分配部」１２０３と、「表示部」１２０４と、を有する。分配部１２０３は、「サブページ再分配手段」１２０５と、「新規ウェブページ情報分配手段」１２０６と、「メインページ再分配手段」１２０７と、を有する。メインページ再分配手段１２０７を除く構成については、実施形態３で説明したものと同様であるため、ここでの説明は省略する。なお、実施形態１又は２を基本として、メインページ再分配手段１２０７を有する構成をとってもよい。
【００４３】
「メインページ再分配手段」１２０７は、分配部が有しているものであり、サブページ情報加工部に分配したウェブページ情報をメインページ情報加工部に再分配する。メインページ再分配手段は、実施形態２で説明したサブページ再分配手段と、その対象となる加工部が異なる点を除けば同様の構成をとることができる。例えば、メインページ再分配手段は、サブページ情報として加工した加工後のウェブページ情報を分配してもよいし、あるいは、メモリに保持されている加工されていない状態のウェブページ情報を分配してもよい。あるいは、当該ウェブページの更新要求をサーバ装置に対して行い、最新の状態に更新されたウェブページ情報をメインページ情報加工部に分配してもよい。
【００４４】
メインページ再分配手段は、実施形態２で説明したサブページ再分配手段と併せて構成されると、より相乗効果を発揮することができる。具体的には、メインページとして表示しているページと、サブページとして表示しているページとを入れ替えて再表示することが可能となる。これにより、例えば注視して閲覧したいページをメインページとして表示してブラウジングを行い、他の作業中のページをサブページとしてサイズを小さくして同一ウィンドウ中に表示することができる。そして、その後、サブページを注視して閲覧したい場合には、メインページとサブページとを入替えて表示することができる。
【００４５】
<実施形態４の効果>
実施形態４におけるウェブ閲覧装置は、サブページ情報加工部に分配されたウェブページ情報をメインページとして表示するためにメインページ情報加工部に再分配する。これにより、例えばメインページとして表示されているページと、サブページとして表示されているページとを入れ替えて表示することが可能となるため、ユーザビリティを向上させることができる。
【００４６】
<<実施形態５>>
<実施形態５の概要>
実施形態５は、同一ウィンドウ中に複数のサブページを表示することを特徴とするものである。
【００４７】
<実施形態５の構成>
図１３は、実施形態５における機能ブロックの一例を示す図である。図１３に示すように、本実施形態における「ウェブ閲覧装置」１３００は、「サブページ情報加工部」１３０１と、「メインページ情報加工部」１３０２と、「分配部」１３０３と、「表示部」１３０４と、を有する。分配部１３０３は、「サブページ再分配手段」１３０５と、「新規ウェブページ情報分配手段」１３０６と、「メインページ再分配手段」１３０７と、を有する。サブページ情報加工部１３０１は、「複数ページ加工手段」１３０８を有する。表示部１３０４は、「複数表示手段」１３０９を有する。複数ページ加工手段１３０８と、複数表示手段１３０９と、を除く各構成については、実施形態４で説明したものと同様であるため、ここでの説明は省略する。なお、実施形態１から３のいずれかを基本として、複数ページ加工手段１３０８と、複数表示手段１３０９と、を有する構成をとってもよい。
【００４８】
「複数ページ加工手段」１３０８は、サブページ情報加工部が有しているものであり、複数のウェブページ情報をそれぞれ加工する。複数のウェブページ情報をそれぞれ加工するとは、例えばサブページとして表示部に表示させる表示領域を複数有しており、各表示領域に対して、複数のウェブページ情報をそれぞれ割り当てて、表示部にて表示させるようにサブページ情報を加工することである。
【００４９】
「複数表示手段」１３０９は、表示部が有しているものであり、サブページを複数表示するものである。一例としては、複数表示手段は、複数のサブページ表示領域を有しており、当該サブページ表示領域に複数ページ加工手段により加工されたサブページ情報により構成されるサブページを表示する。
【００５０】
<実施形態５の効果>
実施形態５におけるウェブ閲覧装置は、複数のサブページを表示することが可能であるため、多数のウェブページを閲覧するユーザの利便性を向上させることができる。特に、複数のサブページは、単なるタブではなく、比較的小さいサイズのページとして表示するため、サブページがどのようなページかを視認することができ、利便性をより一層向上させることができる。
【００５１】
<<実施形態６>>
<実施形態６の概要>
実施形態６は、ストリーミング配信や自動更新機能など、リアルタイム性を有するコンテンツに関しても、その機能を損なうことなくメインページ加工、サブページ加工を行うことを特徴とするものである。特に、サブページをリアルタイム制を損なうことなく表示することにより、従来のブラウザからの利便性を飛躍的に向上させることが可能となる。
【００５２】
<実施形態６の構成>
図１４は、実施形態６における機能ブロックの一例を示す図である。図１４に示すように、本実施形態における「ウェブ閲覧装置」１４００は、「サブページ情報加工部」１４０１と、「メインページ情報加工部」１４０２と、「分配部」１４０３と、「表示部」１４０４と、を有する。分配部１４０３は、「サブページ再分配手段」１４０５と、「新規ウェブページ情報分配手段」１４０６と、「メインページ再分配手段」１４０７と、を有する。サブページ情報加工部１４０１は、「複数ページ加工手段」１４０８と、「アクティブ加工手段」１４１０と、を有する。表示部１４０４は、「複数表示手段」１４０９を有する。メインページ加工部は、「アクティブ加工手段」１４１１を有する。アクティブ加工手段１４１０、１４１１を除く各構成については、実施形態５で説明したものと同様であるため、ここでの説明は省略する。また、実施形態１から４を基本として、アクティブ加工手段１４１０、１４１１を有する構成をとってもよい。
【００５３】
「アクティブ加工手段」１４１０、１４１１は、サブページ情報加工部及びメインページ情報加工部が有しているものであり、ウェブページ情報にストリーミング配信又は／及び、自動更新に関する情報が含まれる場合には、これらの情報により実現されるストリーミング配信又は／及び自動更新の機能を損なわないように前記各加工を行なうものである。特にサブページに関しては、縮小化してサムネイル化したページであるため、例えば当該ページのスクリーンショットをサブページとして表示することも想定される。しかしながら、本実施形態においては、サブページについては単に表示枠のサイズを縮小化するだけの加工処理を行うものである。そして、ウェブページ情報に自動更新を示すタグ情報が含まれている場合には、当該ページの自動更新をそのまま行わせたり、また、ストリーミング用のファイルへのリンク情報が含まれている場合には、当該ページにストリーミング配信をそのまま行わせたりする。なお自動更新の機能を実施する場合のように、アクティブ加工手段は、定期的又は不定期的に分配されるウェブページ情報を取得して加工を行ってもよい。
【００５４】
図１５は、本実施形態の利用例の一例を示す図である。図１５（ａ）では、メインページ表示領域１５０１に、検索エンジンのページが表示されている。また、サブページ表示領域１５０２〜１５０４には、それぞれサッカー動画配信のストリーミング映像や、ニュース番組のストリーミング映像などのストリーミング配信に関する情報が含まれるページや、道路交通情報のように所定期間で自動更新されるページがサブページとして表示される。本実施形態においては、サブページ表示領域に表示されているページについても、ストリーミング配信や自動更新の機能を損なわないように表示するため、リアルタイム制を有するコンテンツを複数同時に視聴することができる。図１５（ａ）に示すように、ウェブを閲覧したいユーザにとっては、サブページの動画配信などの視聴と並行してメインページとして表示されているウェブページを用いてウェブサーフィンを行うことができるため、従来のブラウザと比較して飛躍的に利便性を向上させることができる。
【００５５】
また、例えばサブページとして表示されているページを比較的大きいサイズで視聴しようとする場合には、先の実施形態で説明したように、メインページとサブページとの入替え処理を行うということも可能である。図１５（ｂ）で示すように、例えばサブページとして表示しているサッカー中継の動画配信にて、その試合のヤマ場が発生した場合には、ユーザは、現在閲覧しているメインページと、当該サブページとの入替えをして、サッカー中継の動画をメインページとして比較的大きいサイズで引き続き閲覧することが可能となる。
【００５６】
従来のブラウザやタブブラウザにおいては、アクティブとして操作しているページ以外のページを閲覧する場合には、その都度、別個のアプリケーションウィンドウを立ち上げたり、あるいは、タブをマウス等で選択してページを切替える処理を行う必要が生じていたが、本ウェブ閲覧装置を用いることで、複数のサブページがリアルタイム制を損なうことなく同一ウィンドウ中に表示されるため、複数のサブページをメインページと並行して閲覧することが可能となる。
【００５７】
この他、本実施形態における具体的な他の活用例を説明する。デイトレーダーと呼ばれる株取引を行うユーザにとっては、各種の情報をリアルタイムでチェックするために、複数台のＰＣを利用することが行われているが、本ウェブ閲覧装置を用いることで、一台のＰＣで複数の情報をリアルタイムで並行してチェックすることができる。また、例えば野球中継などの動画配信を視聴している場合に、試合映像をそのままサブページとして表示させながらメインページで気になる選手の情報などをチェックすることができる。また、競馬中継などを視聴する場合には、パドック映像をサブページとして表示させながら、メインページでは各馬の詳細な情報を表示させてチェックする、ということも可能となる。
【００５８】
<実施形態６の効果>
実施形態６におけるウェブ閲覧装置は、メインページやサブページとしてウェブページを加工する場合に、スクリーンショットなどのサムネイル画像とせずに、当該ウェブページのストリーミング配信などの受け付けている状態で表示サイズのみを縮小化するため、例えばサブページにて複数の動画を視聴することが可能になるなど、ユーザの利便性を向上させることができる。
【００５９】
<<実施形態７>>
<実施形態７の概要>
実施形態７は、メインページのリンク先などにナンバリングを付して表示させ、また、サブページ自体に関してもナンバリングを付して表示させることを特徴とするものである。
【００６０】
<実施形態７の構成>
図１６は、実施形態７における機能ブロックの一例を示す図である。図１６に示すように、本実施形態における「ウェブ閲覧装置」１６００は、「サブページ情報加工部」１６０１と、「メインページ情報加工部」１６０２と、「分配部」１６０３と、「表示部」１６０４と、を有する。メインページ情報加工部１６０２は、「タグ情報取得手段」１６０５と、「メインナンバリング加工手段」１６０６と、を有する。サブページ情報加工部１６０１は、「サブナンバリング加工手段」１６０７を有する。タグ情報取得手段１６０５と、メインナンバリング加工手段１６０６と、サブナンバリング加工手段１６０７と、を除く各構成については、実施形態１で説明したものと同様であるため、ここでの説明は省略する。また、実施形態２から６のいずれかを基本として、タグ情報取得手段１６０５と、メインナンバリング加工手段１６０６と、サブナンバリング加工手段１６０７と、を有する構成をとってもよい。
【００６１】
タグ情報取得手段１６０５は、メインページ情報加工部が有しているものであり、ウェブページ情報から所定のタグ情報を取得する。所定のタグ情報とは、ウェブを構成するいわば部品となる情報のことであり、例えばマークアップ言語形式に含まれるタグについての情報が挙げられる。タグとは、具体的には開始タグ「<○×>」と、終了タグ「<／○×>」（○×は所定のタグ文字列）の形式によって表示されるものである。所定のタグ情報とは、例えばリンク先を示す表示や、テキストボックス、ラジオボタン、チェックボタン、セレクト部品、ボタンなどの入力フォームに関するオブジェクト表示などを表示するタグが挙げられる。
【００６２】
メインナンバリング加工手段１６０６は、取得したタグ情報に基づいて、表示部にて表示されるべきウェブページの所定のグラフィック領域近傍にグラフィック識別番号をそれぞれ表示させる加工をする。「所定のグラフィック領域近傍」とは、既に説明した所定のタグにより表示される画像領域近傍のことである。例えば、リンク先や、入力フォームなどが画面に表示される場合における、その表示領域の近くのことである。一例としては、リンクを示す文字などの後ろの部分や、前の部分、あるいは、ユーザ入力グラフィック表示領域の上下部分などが挙げられる。この他、ユーザ入力グラフィック領域がテキストボックスの場合には、そのテキストボックス内もここでいう「近傍」に該当するものである。「グラフィック識別番号」とは、例えばメインページ内のグラフィック領域を一意に識別するための番号が挙げられる。
【００６３】
また、かかるグラフィック識別番号を表示させる加工を行う際には、グラフィック識別番号と、グラフィック識別番号を付した所定のタグ情報と、を関連付けてテーブルとして保持することができる。そして、グラフィック識別番号に対応するユーザ入力があった場合には、当該タグ情報にて示されるリンク先のウェブページにアクセスしたり、あるいは当該タグ情報にて示されるユーザフォーム上にマウスカーソルを移動させることができる。
【００６４】
サブナンバリング加工手段１６０７は、サブページ情報加工部が有しているものであり、表示部にて表示されるべきサブページにつきサブページを識別するページ識別番号を表示させる加工をする。メインページと異なり、サブページの場合にはサブページ単位でページ識別番号を表示させる加工をする。なお、ページ識別番号は、グラフィック識別番号と同一の番号とならないように、異なる番号形態であることが望ましい。一例としては、例えばグラフィック識別番号は、３桁の数字であることに対して、ページ識別番号は２桁の数字であることが挙げられる。異なる番号形態にすることで、ユーザが混同をすることを防止することができる。なお、ページ識別番号についても同様に、サブページと、当該サブページを識別するページ識別番号とを関連付けたテーブルを保持していてもよい。
【００６５】
図１７は、本実施形態における表示画面の一例を示す図である。メインページには、グラフィック識別番号がそれぞれ付されており、一方で、サブページにはページ識別番号が付されている様子が示されている。
【００６６】
<実施形態７の処理の流れ>
図１８は、実施形態７における処理の流れの一例を示す図である。図１８（ａ）は、メインページ情報加工部における処理の一例を示す。まず、ウェブページ情報を分配部から取得する（Ｓ１８０１）。そして、Ｓ１８０１にて取得したウェブページ情報から所定のタグ情報を取得する（Ｓ１８０２）。そして、Ｓ１８０２にて取得したタグ情報に基づいて、ウェブページの所定のグラフィック領域近傍にグラフィック識別番号をそれぞれ表示させる加工をする（Ｓ１８０３）。なお、既に説明したように、タグ情報とグラフィック識別情報とを関連付けたテーブルをＳ１８０３にて生成することもできる。
【００６７】
図１８（ｂ）は、サブページ情報加工部における処理の流れの一例を示す。まず、ウェブページ情報を分配部から取得する（Ｓ１８１１）。そして、当該ウェブページ情報を加工する際に、サブページを識別するページ識別番号を表示させる加工をする（Ｓ１８１２）。なお、既に説明したように、サブページと、ページ識別番号とを関連付けたテーブルをＳ１８０２にて生成することもできる。その他の処理の流れについては、既に説明したものと同様であるため、省略する。
【００６８】
<実施形態７の効果>
実施形態７においては、所定のタグ情報や、サブページに対してナンバリング加工をする。これにより、例えばユーザがマウス・キーボードといった従来の入力インタフェースではなくリモコン入力を行う場合には、各識別番号に応じた番号入力を行うことにより、ウェブサーフィンを容易に行うことが可能となる。特に、リビングなどに設置する大画面のディスプレイを表示部とするコンピュータ装置などにおいては、離れた位置からの操作が行われることになるため、利便性を向上させることができる。
【００６９】
<<実施形態８>>
<実施形態８の概要>
実施形態８は、入替え対象となるサブページのページ識別番号をユーザが入力することで、メインページとサブページの入替えを行うことを特徴とするものである。
【００７０】
<実施形態８の構成>
図１９は、実施形態８における機能ブロックの一例を示す図である。図１９に示すように、本実施形態における「ウェブ閲覧装置」１９００は、「サブページ情報加工部」１９０１と、「メインページ情報加工部」１９０２と、「分配部」１９０３と、「表示部」１９０４と、「サブページ識別番号受付部」１９０８と、を有する。メインページ情報加工部１９０２は、「タグ情報取得手段」１９０５と、「メインナンバリング加工手段」１９０６と、を有する。サブページ情報加工部１９０１は、「サブナンバリング加工手段」１９０７を有する。分配部１９０３は、「メインページ再分配手段」１９０９を有する。メインページ再分配手段１９０９は、「受付後メインページ再分配器」１９１０を有する。サブページ識別番号受付部１９０８と、受付後メインページ再分配器１９１０と、を除く各構成については、実施形態７で説明したものと同様であるため、ここでの説明は省略する。
【００７１】
「サブページ識別番号受付部」１９０８は、ユーザからのサブページ識別番号の入力を受付ける。サブページ識別番号受付部は、例えばキーボードからのキーボード入力によってサブページ識別番号の入力を受け付けることができる。さらに望ましくは、サブページ識別番号受付部は、リモコン装置からの信号を受け付けるリモコン信号受光部であることが望ましい。また、リモコン信号受光部である場合には、所定のルールに従って、リモコン信号をキーボード信号に変換することもできる。
【００７２】
「受付後メインページ再分配器」１９１０は、分配部のメインページ再分配手段が有しているものであり、サブページ識別番号受付部にて受付けられたサブページ識別番号によって識別されるサブページを構成するために加工されたウェブページ情報を、メインページ情報加工部に再分配する。サブページ情報加工部に分配したウェブページ情報をメインページ情報加工部に再分配する点については、実施形態４で説明したものと同様である。受付後メインページ再分配手段は、サブページ識別番号が入力された場合に、当該サブページをメインページとして表示することができる。また、サブページをメインページとして表示する際に、現在メインページとして表示されているウェブページについては、当該サブページを表示する表示領域に表示させるために、当該ウェブページ情報をサブページ情報加工部に再分配してもよい。なお、サブページ識別番号の入力をトリガーとしてメインページやサブページを入替えて表示する場合には、既に説明した識別番号と、その識別番号が対応するページなどを関連付けたテーブルを参照して、各種の制御を行うことができる。また、ページの入替えを行った場合には、再度のナンバリング加工がなされる。
【００７３】
<実施形態８の処理の流れ>
図２０は、実施形態８における処理の流れの一例を示す図である。まず、ユーザからのサブページ識別番号の入力を受け付ける（Ｓ２００１）。そして、受け付けられたサブページ識別番号によって識別されるサブページを構成するために加工されたウェブページ情報を、メインページ情報加工部に再分配する（Ｓ２００２）。その他の処理については、ここでの説明は省略する。
【００７４】
<実施形態８の効果>
実施形態８においては、ユーザからのサブページ識別番号の入力に応じて、メインページとサブページとの表示を入替えることができる。これにより、例えばリモコンなどの番号入力によって、既に説明したようなウェブの閲覧を容易に実施することができる。
【００７５】
<利用例>
図２１は、本ウェブ閲覧装置を実際に利用する態様について示す図である。識別番号を付して表示する場合においては、既に説明したように、リビングなどに設置された大画面のウェブ閲覧装置をリモコンを利用して各種の操作をすることが想定される。この場合に例えば図２１で示すように、メニューバーや、あるいはショートカットキーや、お気に入りのサイトなどを識別情報と関連付けて保持しておき、これをユーザからの所定の番号が入力されたことを契機として表示部に表示させる処理を行ってもよい。図２１に示すようなメニュー画面の表示については、スライドイン／アウトするように処理を行うことも可能である。また、本明細書においては、サブページの一例として、ストリーミングの動画配信がなされる場合を説明したが、ブラウザがテレビのキャプチャカードを制御する機能を備えている場合には、サブページとしてテレビの放送番組を表示させてもよい。
【図面の簡単な説明】
【００７６】
【図１】本発明の概要を説明するための図
【図２】実施形態１の概念を説明するための図
【図３】実施形態１を説明するための機能ブロック図
【図４】実施形態１のメインページ表示領域と、サブページ表示領域とを説明する図
【図５】実施形態１の処理の流れを説明する図
【図６】実施形態１の具体的構成態様の一例を示す図
【図７】実施形態２を説明するための機能ブロック図
【図８】実施形態２のメインページをサブページとして再表示される例を示す図
【図９】実施形態２の処理の一例を示す図
【図１０】実施形態３を説明するための機能ブロック図
【図１１】実施形態３の処理の一例を説明するための図
【図１２】実施形態４を説明するための機能ブロック図
【図１３】実施形態５を説明するための機能ブロック図
【図１４】実施形態６を説明するための機能ブロック図
【図１５】実施形態６の表示画面の一例を説明するための図
【図１６】実施形態７を説明するための機能ブロック図
【図１７】実施形態７の具体的な表示画面の一例を示す図
【図１８】実施形態７の主な処理の流れを説明する図
【図１９】実施形態８を説明するための機能ブロック図
【図２０】実施形態８の処理の流れを説明するための図
【図２１】本発明のその他の態様を説明する図
【図２２】従来のタブブラウザのウィンドウ画面の一例を示す図
【符号の説明】
【００７７】
３００    ウェブ閲覧装置
３０１    サブページ情報加工部
３０２    メインページ情報加工部
３０３    分配部
３０４    表示部
【図１】
2008097385.tif 000003
【図２】
2008097385.tif 000004
【図３】
2008097385.tif 000005
【図４】
2008097385.tif 000006
【図５】
2008097385.tif 000007
【図６】
2008097385.tif 000008
【図７】
2008097385.tif 000009
【図８】
2008097385.tif 000010
【図９】
2008097385.tif 000011
【図１０】
2008097385.tif 000012
【図１１】
2008097385.tif 000013
【図１２】
2008097385.tif 000014
【図１３】
2008097385.tif 000015
【図１４】
2008097385.tif 000016
【図１５】
2008097385.tif 000017
【図１６】
2008097385.tif 000018
【図１７】
2008097385.tif 000019
【図１８】
2008097385.tif 000020
【図１９】
2008097385.tif 000021
【図２０】
2008097385.tif 000022
【図２１】
2008097385.tif 000023
【図２２】
2008097385.tif 000024